(57)【特許請求の範囲】
【請求項１】
コルソン系銅合金より形成され、フラットケーブルが挿入される挿入部が設けられた筒状の本体部内に、断面略Ｊ型に屈曲した板バネが短辺側は前記本体部の底面側と一体に形成され、長辺側が可動部として前記本体部の天面側に位置するように設けられ、前記本体部の天面側には窓部が形成されるとともに、前記板バネの長辺側には前記板バネの横断方向に突出した突条が前記天面側の窓部に臨むように形成され、前記板バネが非変形時には前記突条は前記窓部内に位置するかまたは前記窓部より前記天面上面側の外に出るようになっており、
前記板バネの長辺側に形成された前記突条は、前記板バネの長辺側の前記天面側の窓部に臨む位置に、前記板バネの中央部分に横断方向に略直線状またはコの字型に切れ目を形成し両端部分はそのままで切れ目を形成せずに連続させ、中央部分に形成した前記切れ目を切り起こし、この切り起こされた先端部が前記天面側の窓部内に位置するかまたは窓部より天面の上面側の外に出るように立ち上げて突出させ、前記突条が挿入されたフラットケーブルに対し線接触するように形成し、
前記板バネの切れ目を形成していない両端部分は前記天面下面側に対向するようにしたことを特徴とするフラットケーブル用雌型端子。
【請求項２】
前記窓部は略四角形であることを特徴とする請求項１に記載のフラットケーブル用雌型端子。 
【発明の詳細な説明】
【技術分野】
【０００１】
本発明は、フラットケーブル用雌型端子に関する。フラットケーブルとは、基本的には扁平で柔軟性を有する薄板状や薄箔状の軟質なケーブルのことである。雌型端子に直接フラットケーブルを接続する場合と、雄型端子の接続部がフラットケーブルで構成されており、この雄型端子を雌型端子に接続する場合とがある。なお、本発明でいうフラットケーブルは前述のものに限らず、ＦＦＣやＦＰＣのほか平型電線やバスバーなども含むものである。
【背景技術】
【０００２】
一般的なコネクタは図７に示すように、端子の先端部分にタブＡが設けられた雄型端子と、タブＡと嵌合する筒状の嵌合部Ｂが設けられた雌型端子とで構成され、筒状の嵌合部Ｂの内部にはタブＡと所定の圧力で接触する弾性部Ｃを有している。また、図８に示すように弾性部Ｃに突出した接点部Ｄが設けられたものもある。
【０００３】
そして、弾性部として屈曲バネを備えた雌型端子としては、例えば特許文献１に示すように、筒状の本体部の底板側に備えられたバネにより雄型端子となるタブを天面との間で挟むようにしたものが知られている。
【先行技術文献】
【特許文献】
【０００４】
【特許文献１】特開２００６−２９４４９６号公報
【発明の概要】
【発明が解決しようとする課題】
【０００５】
上記、従来から知られている形式のものは、タブ端子のように比較的板厚が厚めであれば弾性部の力によりタブを天面との間でしっかりと挟むことができる。しかし、フラットケーブルのような薄箔状で軟質なケーブルに対しては十分な保持力を発揮できない。すなわち、従来のように単にバネで押しつけ接触圧力だけで挟持する形式のものでは接触圧力が弱く、且つ引き抜き方向に対しての係止形状を有さないため、フラットケーブル用のような薄箔状で軟質なケーブルの接続端子として要求される性能を満足させることはできなかった。
【０００６】
そこで本発明は、フラットケーブルのような薄箔状で軟質なケーブルに対しても十分な保持力を有するフラットケーブル用雌型端子を提供することを目的とする。
【課題を解決するための手段】
【０００７】
上記目的を達成するために、本発明によるフラットケーブル用雌型端子は、コルソン系銅合金より形成され、フラットケーブルが挿入される挿入部が設けられた筒状の本体部内に、断面略Ｊ型に屈曲した板バネが短辺側は前記本体部の底面側と一体に形成され、長辺側が可動部として前記本体部の天面側に位置するように設けられ、前記本体部の天面側には窓部が形成されるとともに、前記板バネの長辺側には前記板バネの横断方向に突出した突条が前記天面側の窓部に臨むように形成され、前記板バネが非変形時には前記突条は前記窓部内に位置するかまたは前記窓部より前記天面上面側の外に出るようになっており、前記板バネの長辺側に形成された前記突条は、前記板バネの長辺側の前記天面側の窓部に臨む位置に、前記板バネの中央部分に横断方向に略直線状またはコの字型に切れ目を形成し両端部分はそのままで切れ目を形成せずに連続させ、中央部分に形成した前記切れ目を切り起こし、この切り起こされた先端部が前記天面側の窓部内に位置するかまたは窓部より天面の上面側の外に出るように立ち上げて突出させ、前記突条が挿入されたフラットケーブルに対し線接触するように形成し、前記板バネの切れ目を形成していない両端部分は前記天面下面側に対向するようにしたことを特徴としている。
【０００８】
また、本発明においては前記窓部は略四角形であることが好ましい。
【発明の効果】
【００１０】
本発明によれば、板バネに形成された突条部によりフラットケーブルのような薄箔状で軟質なケーブルに対しても、突条部と窓部との相乗効果により確実な係止効果を発揮できるような構成にしたことにより、従来の雌型端子では困難であったフラットケーブルのような薄箔状で軟質なケーブルに対しても十分な係止保持力を有するフラットケーブル用雌型端子を提供することができる。
【図面の簡単な説明】
【００１１】
【図１】本発明のフラットケーブル用雌型端子の一例を示す斜視図である。
【図２】図１の本体部の拡大側面断面図である。
【図３】図１の本体部の拡大平面図である。
【図４】図２で押し下げ部操作による板バネの変位を示す説明図である。
【図５】図２でフラットケーブルを板バネの突条で係止・固定した状態を示す説明図である。
【図６】図５のＡ−Ａ線断面図である。
【図７】雌型端子の従来例を示す説明図である。
【図８】雌型端子の従来の他例を示す説明図である。
【発明を実施するための形態】
【００１２】
次に、本発明の実施の形態について説明する。
本発明は、フラットケーブルが挿入される挿入部が設けられた筒状の本体部内に、断面略Ｊ型に屈曲した板バネが短辺側は本体部の底面側と一体に形成され、長辺側が可動部として本体部の天面側に位置するように設けられ、本体部の天面側には窓部が形成されるとともに、板バネの長辺側には板バネの横断方向に突出した突条が天面側の窓部に臨むように形成され、板バネが非変形時には突条は窓部内に位置するかまたは窓部より天面上面側の外に出るようになっている。
【００１３】
フラットケーブルを雌型端子の挿入部から差し込み、差し込まれたフラットケーブルを板バネと天面の間で挟んだ場合、板バネの突条が窓部内に位置するような状態でフラットケーブルを挟むこととなり、突条がしっかりとフラットケーブルに線接触で当接し、且つ突条と窓部のエンドの双方でもってフラットケーブルが引き抜かれる方向に対する抵抗力を発揮することになるので、フラットケーブルは雌型端子内でしっかりと保持されることとなる。
【００１４】
そして、板バネの長辺側に形成された突条は、板バネの長辺側の天面側の窓部に臨む位置に、板バネの中央部分に横断方向に略直線状またはコの字型に切れ目を形成し両端部分はそのままで切れ目を形成せずに連続させ、中央部分に形成した切れ目を切り起こし、この切り起こされた先端部が天面側の窓部内に位置するかまたは窓部より天面の上面側の外に出るように立ち上げて突出させ、突条が形成されるようにし、板バネの切れ目を形成していない両端部分は天面下面側に対向するようにする。板バネのフラットケーブルとの当接部を切り起こされて突出した突条とすることにより、板バネがフラットケーブルに対しより強く線接触することとなり、また板バネの切れ目を形成していない両端部分が天面下面側に対向することによりフラットケーブルは突条と窓部の縁との間でも係止・固定されることとなる。
【００１５】
また、好ましくは、板バネの長辺側の自由端部は本体部より延出され、押し下げ部が形成されている。本来的にフラットケーブルが引き抜かれにくい構造としたことにより、フラットケーブル挿入時と脱着時に板バネの突条がフラットケーブルと当接することを解除するために、押し下げ部を設けおいてもよい。なお、押し下げ部は押し下げ部として機能すればよく、その形状は任意に選択可能である。
【実施例】
【００１６】
次に、本発明のフラットケーブル用雌型端子の一実施例を図面に基づいて説明する。
雌型端子１は、前面にフラットケーブルを挿入するために若干開口が広げられた挿入部２が形成された筒状の本体部３と、本体部３の後方に形成された電線接続用の圧着部４から構成されている。
【００１７】
断面略Ｊ型に屈曲した板バネ５が、屈曲部６が本体部３の挿入部２側に位置し、短辺７側が本体部３の底面８側と一体に形成され、長辺９側が可動部として天面１０側に位置するように設けられている。また、短辺７側の端部は直角に立ち上げストッパ部１１となっている。
【００１８】
例えば、板バネ５の短辺７は本体部３の底面８の一部を構成し、板バネ５と本体部３と圧着部４から構成される雌型端子１は一枚の板を折り曲げることにより形成される。なお、雌型端子１は板バネ５の必要な弾性率と端子としての必要な導電率を両立させるために、例えばコルソン系銅合金（主成分：Ｃｕ−Ｎｉ−Ｓｉ−Ｓｎ−Ｚｎ）で形成する。
【００１９】
また、本体部３の天面１０側には窓部１２が形成されるとともに、板バネ５の長辺９側には天面１０側の窓部１２に臨むように板バネ５の横断方向に突条１３が形成されている。窓部１２の大きさは、板バネ５の突条１３がその窓部１２内に位置し、あるいは突条１３が窓部１２より天面１０の上方へ飛び出す程度の大きさであればよく、後述するように突条１３と窓部１２の端部でフラットケーブルＦを係止・固定するので、突条１３と窓部１２との間に若干の間隙ができる程度とする。そして、板バネ５の長辺９側の自由端部は本体部３の天面１０より後方に延出され、押し下げ部１４が形成されている。
【００２０】
ここで、板バネ５の長辺９側に形成される突条１３の形成方法について説明する。板バネ５の長辺９側の天面１０側の窓部１２に臨む位置に、板バネ５の中央部分に横断方向に略直線状またはコの字型に切れ目を形成し両端部分はそのままで切れ目を形成せずに連続させ、中央部分に形成した切れ目を切り起こす。そして、この切り起こされた先端部が天面１０側の窓部１２内に位置するかまたは窓部１２より天面１０の上面側の外に出るように立ち上げて突出させ、突条１３が形成されるようにする。なお、突条１３の形成方法はこの方法に限定されるものではない。
【００２１】
次に、上記した本発明のフラットケーブル用雌型端子へのフラットケーブルの挿入・固定方法と、取り外し方法について説明する。
まず、フラットケーブルＦを雌型端子１に挿入する場合は、本体部３の挿入部２は図４の一点鎖線で示すように非変形時の板バネ５の突条１４は天面１０の窓部１２内に臨み挿入部２を塞ぐように位置しているので、図４の実線で示すように板バネ５の押し下げ部１４を押し下げ、突条１３を窓部１２から退避させ、そしてその状態で図５に示すようにフラットケーブルＦを挿入部３から挿入する。フラットケーブルＦを挿入したら、押し下げ部１４を押し下げるのをやめる。すると、板バネ５は初期の位置に戻るように変形し、図６に示すように突条１３と窓部１２の縁との間で、フラットケーブルＦが係止・固定されることとなる。
【００２２】
フラットケーブルＦを雌型端子から取り外す場合は、フラットケーブル接続状態ではフラットケーブルは突条１３と窓部１２の縁によりしっかり係止されておりそのままでは引き抜くことはできない。そこで、図４の実線で示すように板バネ５を押し下げ部１３を押し下げ、フラットケーブルＦに対する突条１３と窓部１２の係合を解き、フラットケーブルＦを自由にしてから引き抜く。
【産業上の利用可能性】
【００２３】
本発明のフラットケーブル用雌型端子は、フラットケーブルの接続に適することは勿論のこと、板バネの突条が線接触することにより強い挟持力を発揮できるので、その用途はフラットケーブルに限らずその他のケーブルの接続用の雌型端子としても使用可能である。また、実施例においては雌型端子が一個のものを例として説明したが、雌型端子が複数個連結されているようなものであっても、本発明の雌型端子は適用可能である。
【符号の説明】
【００２４】
１    雌型端子
２    挿入部
３    本体部
４    圧着部
５    板バネ
６    屈曲部
７    短辺
８    底面
９    長辺
１０    天面
１１    ストッパ部
１２    窓部
１３    突条
１４    押し下げ部
Ａ    タブ
Ｂ    嵌合部
Ｃ    弾性部
Ｄ    接点
Ｆ    フラットケーブル
【図１】
0005743213.tif 000002
【図２】
0005743213.tif 000003
【図３】
0005743213.tif 000004
【図４】
0005743213.tif 000005
【図５】
0005743213.tif 000006
【図６】
0005743213.tif 000007
【図７】
0005743213.tif 000008
【図８】
0005743213.tif 000009